(57)【要約】【課題】  部署表示板を改良して、遠隔操作によって容易に変色させたり点滅させたりできるようにする。【解決手段】  ２枚の導光板５Ａ，５Ｂの間に反射シート６を挟み、該導光板の両側にＬＥＤ基板７を配置する。上記のＬＥＤ基板は、多数のフルカラーチップ７ａと、これを制御する制御ＬＳＩ７ｂとを備えてなる。上記制御ＬＳＩはコントローラ１０を介して煙センサ９（または手動操作スイッチ・図示省略）によって作動せしめられ、前記フルカラーチップ７ａを点滅させたり、任意の色調に発色させたりする。【選択図】  図１
2005265966.tif 000002
【特許請求の範囲】
【請求項１】
導光板（５Ａ）と、
反射シート（６）と、
上記導光板の端面に装着された「光の３原色であるＲ．Ｇ．Ｂの発光ダイオードから成るフルカラーチップ（７ａ）を備えたＬＥＤ基板（７）」と、
該ＬＥＤ基板（７）に設けられた制御ＬＳＩ（７ｂ）とを具備していて、
上記の制御ＬＳＩ（７ｂ）は、前記フルカラーチップ（７ａ）の発光色を変化させる機能を有するものであり、
かつ、前記導光板（５Ａ，５Ｂ）の表面に文字もしくは記号が描かれているか、
または、該導光板（５Ａ，５Ｂ）を収納した透明ケースの表面に文字もしくは記号が描かれており、
さらに、前記制御ＬＳＩ（７ｂ）が、コントローラ（１０）を介して煙センサ（９）、もしくはこれに類似する「自動的に警報信号を発信する機器」または「手動操作式の発信機」に接続されていることを特徴とする変色内照式表示板。      
【請求項２】
前記導光板は、反射シート（６）を挟んで２枚（５Ａ，５Ｂ）が配置されていることを特徴とする、請求項１に記載した変色内照式表示板。
【請求項３】
請求項１または請求項２に記載した変色内照式表示板の多数が配置されており、
上記多数の変色内照式表示板のそれぞれに設けられた制御ＬＳＩ（７ｂ）が、平常時には「非常を意味する赤系統以外の色調」を発光させ、かつ、該多数の表示板が、平常時には相互に異なる色調を発光させ得るようになっており、
さらに、前記の制御ＬＳＩ（７ｂ）は、警報信号または避難命令を受信したとき、「非常を意味する赤系統の色調」を発光させるようになっていることを特徴とする、請求項１または請求項２に記載した変色内照式表示板を用いた誘導装置。  
【請求項４】
前記コントローラ（１０）が無線送信機を備えており、かつ前記制御ＬＳＩ（７ｂ）が無線受信機を備えていることを特徴とする、請求項３に記載した変色内照式表示板を用いた誘導装置。  
【請求項５】
前記のフルカラーチップ（７ａ）、および制御ＬＳＩ（７ｂ）からなるＬＥＤ基板（７）が、太陽電池およびバッテリーを備えていて、外部から人工的なエネルギーの供給を受けることなく作動し得るようになっていることを特徴とする、請求項４に記載した変色内照式表示板を用いた誘導装置。
【請求項６】
請求項１に記載した変色内照式表示板の多数が配置されており、
上記多数の変色内照式表示板のそれぞれに設けられた制御ＬＳＩ（７ｂ）が、手動操作される発信機に接続されていて、操作者の意志に従って特定の変色内照式表示板を点滅させ、または特定の変色内照式表示板の発光色調を変化せしめ得るようになっていることを特徴とする、請求項１または請求項２に記載した変色内照式表示板を用いた誘導装置。
【請求項７】
請求項１または請求項２に記載した変色内照式表示板の多数が配置されるとともに、
上記多数の変色内照式表示板の配置図を描いたタッチパネルが設けられていて、該タッチパネルに描かれている所望の箇所にタッチすると、これに対応する変色内照式表示板が変色し、および／または点滅するようになっており、
または、前記のタッチパネルから所望の箇所に至る通路に沿った変色内照式表示板が変色し、もしくは点滅するようになっていることを特徴とする、変色内照式表示板を用いた誘導装置。
【発明の詳細な説明】
【技術分野】
【０００１】
本発明は、内照式の表示板に係り、特に、遠隔操作で色調を変化させたり点滅させたりするに適したように改良した新規な技術に関するものである。
【背景技術】
【０００２】
図５は、表示板が配設されている例を描いた模式図である。
符号１を付して示したのは廊下であり、２は壁であって、複数の事務室ドア３が並んでいる。
それぞれのドアの付近に部署表示板４が掲げられている。
この例は一般企業の社屋内であって、部署表示板４にはそれぞれ応接室や設計などと書かれている。本発明においては説明の便宜上、手洗いの表示や非常口の表示も部署表示板と呼ぶことにする。
この図５は一般の社屋内の例であるが、その他の屋内でも、これに類似した例は多い。
例えば病院内であれば、前記の部署表示板には外科手術室、内科診察室、レントゲン室などと書かれる。また、学校であれば、理科実験室、図書室、〇〇教授室などと書かれる。
【０００３】
前記の部署表示板には、いろんな機能が要求される。
先ず、見やすいためには発光表示板であることが望ましいが、更には色分け表示できれば一層好ましい。
発光表示としては、すりガラスの裏側に蛍光灯を配置した構造のものが古くから知られている。さらに、最近では発光ダイオード（ＬＥＤ）を用いたものが少なからず実用化されつつある。
【特許文献１】特開２００２−１５６９２７号公報
【特許文献２】特開２０００−３４８５１８号公報
【特許文献３】特開平１０−６３９９４号公報
【発明の開示】
【発明が解決しようとする課題】
【０００４】
最近の技術であるＬＥＤを用いた表示板が各種提案されているが、先に図５を参照して説明した部署表示板として好適なものは未だ開発されていない。
特開２０００−３４８５１８公報に記載されている面発光体は、ＬＥＤを用いてアクリル板を光らせるものであって、均一な光度が得られる旨が述べられているが、色調を変えることができず、表示の態様が単調である。 
特開平１０−６３９９４号公報に記載されている交通信号機は、色調を変えることができるが、発光面の全部にＬＥＤを配列するので製造コストが高い。
【０００５】
本発明は上述の事情に鑑みて為されたもので、その目的とするところは、発光面積に比して所要ＬＥＤ個数が少なくて製造コストが安く、
容易に、かつ即時的に色調を変えたり点滅させたりすることができて、視認性が優れており、
遠隔操作に適した内照式の表示板を提供するにある。
【課題を解決するための手段】
【０００６】
上記の目的を達成するために創作した本発明の請求項１に係る発明の構成は、
（図１参照）導光板（５Ａ）と、
反射シート（６）と、
上記導光板の端面に装着された「Ｒ、Ｇ、Ｂ発光ダイオードからなるフルカラーチップ（７ａ）を備えたＬＥＤ基板（７）」と、
該ＬＥＤ基板（７）に設けられた制御ＬＳＩ（７ｂ）とを具備していて、
上記の制御ＬＳＩ（７ｂ）は、前記フルカラーチップ（７ａ）の発光色を変化させる機能を有するものであり、
かつ、前記導光板（５Ａ，５Ｂ）の表面に文字もしくは記号が描かれているか、
または、該導光板（５Ａ，５Ｂ）を収納した透明ケースの表面に文字もしくは記号が描かれており、
さらに、前記制御ＬＳＩ（７ｂ）が、コントローラ（１０）を介して煙センサ（９）、もしくはこれに類似する「自動的に警報信号を発信する機器」または「手動操作式の発信機」に接続されていることを特徴とする。
【０００７】
以上に説明した請求項１の発明によると、ＬＥＤから出射して導光板の端面に入射した光束が、反射シートで反射されて、導光板の全面を発光させるので、発光面積に比してＬＥＤの所要個数が少ない。
しかも、Ｒ、Ｇ、Ｂ発光ダイオードから成るフルカラーチップを用いてあるので、制御ＬＳＩでコントロールすることにより、その色調を任意に変化させることができ、点滅させることも容易である。
さらに、制御ＬＳＩによって色調・点滅を制御するので、遠隔操作するに適していて、煙センサなどの自動的機器によって作動させることもでき、管理者の意志に基づいて手動操作することもできる。  
【０００８】
請求項２に係る発明の構成は、前記請求項１の発明の構成要件である導光板を２枚配設して反射シート（６）を挟みつけたことを特徴とする。
【０００９】
以上に説明した請求項２の発明によると、表示板の両面を同じ色調に発光させることができる。
【００１０】
請求項３に係る発明の構成は、請求項１または請求項２に記載した変色内照式表示板の多数が配置されており、
上記多数の変色内照式表示板のそれぞれに設けられた制御ＬＳＩ（７ｂ）が、平常時には「非常を意味する赤系統以外の色調」を発光させ、かつ、該多数の表示板が、平常時には相互に異なる色調を発光させ得るようになっており、
さらに、前記の制御ＬＳＩ（７ｂ）は、警報信号または避難命令を受信したとき、「非常を意味する赤系統の色調」を発光させるようになっていることを特徴とする。
【００１１】
以上に説明した請求項３の発明装置によると、
平常時には、配置された多数の変色内照式表示板それぞれが独自の平常色（「非常を意味する赤色」以外の色、例えば緑色や黄色など）を発光するので、単に光っているというだけではなく、それぞれの表示板の概要的な性質（例えば部外者の立ち入り禁止区域とか、静粛にとか）を表すこともできる。                    
そして、一旦非常の事態になれば、全部の変色内照式表示板が一斉に非常表示色（例えば赤色）に変色して“非常”であることを視覚に訴える。これにより、聴覚障害者であっても直ちに非常事態を感得することができる。
また、本請求項の応用例として、避難路に沿った変色内照式表示板を点滅させて非難を誘導することもできる。
【００１２】
請求項４に係る発明装置の構成は、前記請求項３の発明装置の構成要件に加えて、
前記コントローラ（１０）が無線送信機を備えており、かつ前記制御ＬＳＩ（７ｂ）が無線受信機を備えていることを特徴とする。
【００１３】
以上に説明した請求項４の発明装置によると、多数の変色内照式表示板を配置する際、電気配線を必要としないので作業が迅速容易に遂行される。特に、模様替えなどによって
変色内照式表示板を移動させねばならないとき、本請求項３に特有の効果（配線不要）の実用的価値が痛感される。
さらに、制御ＬＳＩが無線受信機を備えているので、この変色内照式表示板を無線ＬＡＮに組み込むことも容易に行なわれ、ＩＴ時代に順応することができる。
【００１４】
請求項５に係る発明装置の構成は、前記請求項４の発明装置の構成要件に加えて、
前記のフルカラーチップ（７ａ）、および制御ＬＳＩ（７ｂ）からなるＬＥＤ基板（７）が、太陽電池およびバッテリーを備えていて、外部から人工的なエネルギーの供給を受けることなく作動し得るようになっていることを特徴とする。
【００１５】
以上に説明した請求項５の発明装置によると、電源として商用電力を配線する必要がないので、設置工事が容易であり、特に、移転こうじが迅速容易に遂行できる。
本請求項４の構成・作用について、“太陽電池によって電源を賄うことは公知技術に過ぎない”と誤解してはならない。電力配線が不要であるという本請求項の効果は、信号配線が不要であるという請求項３の効果と相俟って、はじめて優れた実用的効果を生じるのである。
【００１６】
請求項６に係る発明の構成は、請求項１または請求項２に記載した変色内照式表示板の多数が配置されており、
上記多数の変色内照式表示板のそれぞれに設けられた制御ＬＳＩ（７ｂ）が、手動操作される発信機に接続されていて、操作者の意志に従って特定の変色内照式表示板を点滅させ、または特定の変色内照式表示板の発光色調を変化せしめ得るようになっていることを特徴とする。
【００１７】
以上に説明した請求項６の発明によると、非常時の情報伝達と避難誘導に用いられる本発明装置を利用して、日常の業務において動的に役立てることができる。すなわち、例えば来客に応対した受付係が、スイッチを操作して、該来客を案内すべき部署の表示板を点滅させ、もしくは変色させることにより、受付係の席を離れないで来客を誘導することができる。
このような効果は、単に受付係員の労力を軽減するだけではない。例えば受付係員が来客を伴って訪問部署まで案内すると、暫くの間、受付不在の状態となる。不在の間に、きわめて重要な来客が無いとは限らないし、きわめて好ましからざる来訪者（暴力団員や総会屋など）が素通りしてしまう虞れも有る。こうした不行き届きを未然に防止するという本請求項５の潜在的効果は多大である。
【００１８】
請求項７に係る発明装置の構成は、請求項１または請求項２に記載した変色内照式表示板の多数が配置されるとともに、
上記多数の変色内照式表示板の配置図を描いたタッチパネルが設けられていて、該タッチパネルに描かれている所望の箇所にタッチすると、これに対応する変色内照式表示板が変色し、および／または点滅するようになっており、
または、前記タッチパネルから所望の箇所に至る通路に沿った変色内照式表示板が変色もしくは点滅するようになっていることを特徴とする。
【００１９】
以上に説明した請求項７の発明装置によると、非常事態の通報と誘導を本来の任務とする本発明装置を平常時に利用して、「案内される者自身による操作」で、所望の箇所へ誘導することができる。
この誘導は、一切無音声で行われるので、静粛をようする設備（例えば博物館やコンサートホールなど）において非常に有効であり、また、聴覚障害者に対する案内、誘導機構として優れている。  
【発明の効果】
【００２０】
請求項１の発明によると、ＬＥＤから出射して導光板の端面に入射した光束が、反射シートで反射されて、導光板の全面を発光させるので、発光面積に比してＬＥＤの所要個数が少ない。
その上、２枚の導光板の間に反射シートを挟んであるから、表裏両面が発光する。  
しかも、フルカラーチップを用いてあるので、制御ＬＳＩでコントロールすることにより、その色調を任意に変化させることができ、点滅させることも容易である。
さらに、制御ＬＳＩによって色調・点滅を制御するので、遠隔操作するに適していて、煙センサなどの自動的機器によって作動させることもでき、管理者の意志に基づいて手動操作することもできる。
【００２１】
請求項２の発明によると、表示板の両面を同じ色調に発光させることができ、かつ、同時にその色調を変化させることもできる。
【００２２】
請求項３の発明装置によると、
平常時には、配置された多数の変色内照式表示板それぞれが独自の平常色（「非常を意味する赤色」以外の色、例えば緑色や黄色など）を発光するので、単に光っているというだけではなく、それぞれの表示板の概要的な性質（例えば部外者の立ち入り禁止区域とか、静粛にとか）を表すこともできる。                    
そして、一旦非常の事態になれば、全部の変色内照式表示板が一斉に非常表示色（例えば赤色）に変色して“非常”であることを視覚に訴える。これにより、聴覚障害者であっても直ちに非常事態を感得することができる。
また、本請求項２の応用例として、避難路に沿った変色内照式表示板を点滅させて非難を誘導することもできる。
【００２３】
請求項４の発明装置によると、多数の変色内照式表示板を配置する際、電気配線を必要としないので作業が迅速容易に遂行される。特に、模様替えなどによって
変色内照式表示板を移動させねばならないとき、本請求項３に特有の効果（配線不要）の実用的価値が痛感される。
さらに、制御ＬＳＩが無線受信機を備えているので、この変色内照式表示板を無線ＬＡＮに組み込むことも容易に行なわれ、ＩＴ時代に順応することができる。
【００２４】
請求項５の発明装置によると、電源として商用電力を配線する必要がないので、設置工事が容易であり、特に、移転こうじが迅速容易に遂行できる。
本請求項４の構成・作用について、“太陽電池によって電源を賄うことは公知技術に過ぎない”と誤解してはならない。電力配線が不要であるという本請求項の効果は、信号配線が不要であるという請求項３の効果と相俟って、はじめて優れた実用的効果を生じるのである。
【００２５】
請求項６の発明によると、非常時の情報伝達と避難誘導に用いられる本発明装置を利用して、日常の業務において動的に役立てることができる。すなわち、例えば来客に応対した受付係が、スイッチを操作して、該来客を案内すべき部署の表示板を点滅させ、もしくは変色させることにより、受付係の席を離れないで来客を誘導することができる。
このような効果は、単に受付係員の労力を軽減するだけではない。例えば受付係員が来客を伴って訪問部署まで案内すると、暫くの間、受付不在の状態となる。不在の間に、きわめて重要な来客が無いとは限らないし、きわめて好ましからざる来訪者（暴力団員や総会屋など）が素通りしてしまう虞れも有る。こうした不行き届きを未然に防止するという本請求項５の潜在的効果は多大である。
【００２６】
請求項７の発明装置によると、非常事態の通報と誘導を本来の任務とする本発明装置を平常時に利用して、「案内される者自身による操作」で、所望の箇所へ誘導することができる。
この誘導は、一切無音声で行われるので、静粛をようする設備（例えば博物館やコンサートホールなど）において非常に有効であり、また、聴覚障害者に対する案内、誘導機構として優れている。
【発明を実施するための最良の形態】
【００２７】
図１は、本発明に係る変色内照式表示板の１実施形態を模式的に描いた分解斜視図に自動検出系統図を付記した説明図である。 
２枚の導光板５Ａ，５Ｂの間に反射シート６が挟みつけられていて、この導光板の両端面に、ＬＥＤ基板７が装着されている。
上記のＬＥＤ基板７は、多数のフルカラーチップ（通称Ｒ、Ｇ、Ｂ．ＬＥＤ）７ａが配列されていて、制御ＬＳＩ７ｂを介して給電・制御される。これにより、フルカラーチップ７ａの色調を変化させたり、点滅させたりすることができる。 
ＬＥＤ基板７から発せられた光束は、導光板を通って反射シート６で反射され、該導光板を面発光させる。
【００２８】
上記の導光板及びその付属部材は、透明なアクリルケース８の中に収納されており、このアクリルケースには文字または記号が描かれている。この例では“開発部長”の４文字が描かれているが、どのような文字を描くかは任意であり、また、例えば避難方向を示す矢印などであってもよい。
このようにして導光板は、変色内照式表示板として機能することができる。さらに、２枚の導光板５Ａ，５Ｂが反射シート６を挟んでいる構造であるから、この内照式表示板は、その両面が表示機能を有している。
片面だけの表示で足りる場合は、本図１の応用例として１枚の導光板５Ａのみを設けて、他方の導光板５Ｂを省略することもできる。
【００２９】
前記の制御ＬＳＩ７ｂは、コントローラ１０を介して煙センサ９に接続されている。このように構成しておくと、煙センサ９が火災（煙）を感知したとき、導光板の発光色調を自動的に変化させて避難を促すことができる。
図示を省略するが、その他の実施例として次のような用例も推奨される。
アクリルケース８に「非常口」という３文字を描いて、これを非常口の付近に設置し、平常時には緑色に発光させておく。そして、煙センサ９が火災を感知したならば、発光を点滅させて注意を喚起する。なお点滅に伴って、関係法規が許す範囲内において変色させることも可能である。
本発明の変色内照式表示板はさらに多様な機能を発揮するので、以下に図２〜図４を参照して詳しく説明する。
【００３０】
図２は、機械メーカーの工場に設けられている管理棟の廊下に配設されている部署表示板に本発明を適用した一例である。
各課の出入り口ドア付近に、購買、財務、設計、技術、特許といった課名を描いた部署表示板が掲げられている。これらの部署表示板は、本発明に係る変色内照式表示板で構成されている。
購買課や財務課などのように、「受付でチェックされた来訪者」が入室しても良い部屋のドアには、「平常時には緑色に発光する内照表示板・常緑１１」が掲げられており、
設計課、技術課、特許課などのように、「受付を通っただけの来訪者」が自由に入室しては困る部屋のドアには、「平常時には黄色に発光する内照表示板・常黄１２」が掲げられている。
【００３１】
先に述べたように、本発明の変色内照式表示板は、フルカラーチップを制御ＬＳＩでコントロールする構造であるから、緑色、黄色など任意の色調に発光させることが自在であり、色調を変えることも容易である。
一般企業などにおいては、諸種の行事に伴って「外来者立入り禁止区域」を変更する場合が少なくないので、部署表示板の色調変更が容易であることの実用的価値は大きい。
上記は平常時であるが、煙センサ９が検知信号を発信したときは、自動的に、全ての変色内照式表示板が危険表示色（例えば赤色）に変えられる。
【００３２】
また例えば消防署から警備員室１８に「近火警報」が入ったときなどは、警備員のスイッチ操作によって、総べての部署表示板（変色内照式表示板）が危険表示色（赤色）に変えられる。  
その他の応用動作として、営業終了５分前の「来訪者退去要請時間」になったとき、管理職者１９のスイッチ操作によって部署表示板（変色内照式表示板）を点滅させるなど、広範な使い道が有る。図示を省略するが、前記来訪者退去要請の点滅操作は、時計と連動させて自動的に遂行することも、公知技術を適用して容易に可能である。 
【００３３】
図３は、前掲の図２に示した実施例を改良した１例を模式的に描いた概要的な斜視図である。
それぞれの部署表示板（変色内照式表示板）に設けられている制御ＬＳＩ７ｂは、無線受信機１２と太陽電池１３とを備えている。
これに対応して、管理指令室１６に設けられたコントローラ１０は無線発信機１５を備えている。
本例によると、
ａ．各部署表示板（変色内照式表示板）は、信号配線を必要とせず、かつ、
ｂ．各部署表示板（変色内照式表示板）が、電源配線を必要としない。
このため、部署表示板の移動を迅速容易に行ない得る。
【００３４】
図４は、前記と更に異なる実施形態を示し、本発明に係る変色内照式表示板を病院に適用した状態の模式図である。
内科、小児科などのように患者が入室できるドアの付近には、内照表示板・常緑１１からなる部署表示板が掲げられている。
手術室、調剤室、器具室などのように患者が勝手に入っては困る部屋のドア付近には、
内照表示板・常黄１２からなる部署表示板が掲げられている。
一方、受付，案内所にはタッチパネル１７が配置されている。このタッチパネルには、病院の部屋割の略図が描かれていて、内科、小児科、手術室、調剤室、器具室などが示されている。
【００３５】
例えば案内係員が来院者に、小児科への道順を教える際は、タッチパネル１７の小児科にタッチすると、小児科の表示板が点滅する。
そこで案内係員は小児科への道を指さし教えてから「看板がピカピカと点（つ）いたり消えたりしている所へおいでなさい」と告げれば良い。
このタッチパネル１７の用法は広範である。例えば、聴覚障害者を含む入所者が居る老人ホームにおいては、休憩室や廊下などに、このタッチパネルを設置しておいて、入所者自身で触れさせても良い。このように利用すれば、聴覚障害者に対して、手話を要せずに
道案内をすることができる。その上、聴覚障害老人に対して単に教え導くのではなく、タッチパネルに触れて自分で道を探すという自発的行動を促すので、痴呆防止にも有効であるという優れた副次的効果を奏する。
【図面の簡単な説明】
【００３６】
【図１】本発明に係る変色内照式表示板の１実施形態を模式的に描いた分解斜視図に自動検出系統図を付記した説明図。
【図２】機械メーカーの工場に設けられている管理棟の廊下に配設されている部署表示板に本発明を適用した一例を描いた模式図。
【図３】前掲の図２に示した実施形態を改良した変色内照式表示板を模式的に描いた概要的な斜視図。
【図４】前記と更に異なる実施形態を示し、本発明に係る変色内照式表示板を病院に適用した状態の模式図。
【図５】部署表示板が用いられている状態を説明するため廊下付近を描いた模式的な斜視図
【符号の説明】
【００３７】
１…廊下
２…壁
３…事務室ドア
４…部署表示板
５Ａ…導光板
５Ｂ…導光板
６…反射シート
７…ＬＥＤ基板
７ａ…フルカラーチップ（Ｒ、Ｇ、Ｂ  ＬＥＤランプ
７ｂ…制御ＬＳＩ 
８…アクリルケース 
９…煙センサ 
１０…コントローラ 
１１…内照表示板・常緑 
１２…内照表示板・常黄 
１３…無線受信機 
１４…太陽電池 
１５…無線送信機 
１６…管理指令室 
１７…タッチパネル 
１８…警備員室 
１９…管理職者 
【図１】
2005265966.tif 000003
【図２】
2005265966.tif 000004
【図３】
2005265966.tif 000005
【図４】
2005265966.tif 000006
【図５】
2005265966.tif 000007